(57)【要約】【課題】ロール紙の種類に合わせて最適なステージを用いることができるプリンタを提供する。【解決手段】プリンタは、保持部と、印刷部と、ステージと、支持構造と、を備える。保持部は、帯状の紙が巻かれたロール紙を保持する。印刷部は、前記保持部に保持されたロール紙から引き出した紙に印刷を施す。ステージは、略長方形状で長手方向がロール紙幅方向に沿い互いに別方向を向いた複数の面を有し、各前記面に異なる種類の紙の案内に適する加工が施されている。支持構造は、前記印刷部の下流側にて、該印刷部で印刷する紙の種類に適する前記面を前記紙の搬送経路に配して前記ステージを支持する。【選択図】図２
2015047843.tif 000002
【特許請求の範囲】
【請求項１】
帯状の紙が巻かれたロール紙を保持する保持部と、
前記保持部に保持されたロール紙から引き出した紙に印刷を施す印刷部と、
略長方形状で長手方向がロール紙幅方向に沿い互いに別方向を向いた複数の面を有し、各前記面に異なる種類の紙の案内に適する加工が施されたステージと、
前記印刷部の下流側にて、該印刷部で印刷する紙の種類に適する前記面を前記紙の搬送経路に配して前記ステージを支持する支持構造と、
を備えるプリンタ。
【請求項２】
前記ステージは、概ね、一対の端面および該端面に直交する複数の側面を有する角柱形状であって、各前記側面に、異なる種類の紙の案内に適する加工が施されている
ことを特徴とする請求項１に記載のプリンタ。
【請求項３】
前記ステージは、板状であって、表裏をなす各面に、異なる種類の紙の案内に適する加工が施されている
ことを特徴とする請求項１に記載のプリンタ。
【請求項４】
前記支持構造は、前記ステージの両端を支持する一対のフレームと、前記端面の一方に設けられた円柱形状の第一突部と、前記端面の他方に設けられた角柱形状の第二突部と、を備え、
前記フレームの一方は、該フレームの上縁に開口し前記第一突部を下から支える溝を有し、
前記フレームの他方は、前記第二突部が嵌まり込む角孔を有する
ことを特徴とする請求項２に記載のプリンタ。
【請求項５】
前記支持構造は、前記ステージの長手方向両端を回転自在に支持する一対のフレームと、該フレームに対して前記ステージを固定する回転止め部材と、を備える
ことを特徴とする請求項１〜３のいずれか１つに記載のプリンタ。
【発明の詳細な説明】
【技術分野】
【０００１】
本発明の実施形態は、プリンタに関する。
【背景技術】
【０００２】
プリンタで用いられるロール紙には、レシートやラベル、台紙なしラベルなど、多くの種類がある。従来、一つのプリンタで複数種類のロール紙を取扱対象とすることがある。その場合の問題の一つに、印字後の紙を案内する部材（以下、ステージと呼称する）の問題がある。
【０００３】
ロール紙が台紙なしラベルの場合には、ステージは、ラベル裏面の糊がくっつきにくい形状あるいは素材であることが望まれる。また、ロール紙がラベルの場合で、台紙から剥がして排紙する場合には、ステージは、ラベルが台紙から剥離しやすい形状に台紙を折り曲げられる形状であることが望まれる。そして、ロール紙がレシートの場合で、カッターを備えないプリンタである場合には、ステージは、レシートを手切りしやすい形状であることが望まれる。
【０００４】
このように、ロール紙の種類によって、ステージに望まれる条件は異なる。しかしながら、現状では単一のステージにて複数種類のロール紙に対応させているため、各ロール紙に最適とは言えない中途半端なステージとなっている。
【発明の概要】
【発明が解決しようとする課題】
【０００５】
本発明が解決しようとする課題は、ロール紙の種類に合わせて最適なステージを用いることができるプリンタを提供することである。
【課題を解決するための手段】
【０００６】
実施形態のプリンタは、保持部と、印刷部と、ステージと、支持構造と、を備える。
保持部は、帯状の紙が巻かれたロール紙を保持する。印刷部は、前記保持部に保持されたロール紙から引き出した紙に印刷を施す。ステージは、略長方形状で長手方向がロール紙幅方向に沿い互いに別方向を向いた複数の面を有し、各前記面に異なる種類の紙の案内に適する加工が施されている。支持構造は、前記印刷部の下流側にて、該印刷部で印刷する紙の種類に適する前記面を前記紙の搬送経路に配して前記ステージを支持する。
【図面の簡単な説明】
【０００７】
【図１】図１は、実施形態のプリンタの内部構造を示す縦断右側面図である。
【図２】図２は、実施形態のプリンタの印刷部周辺の拡大図である。
【図３】図３は、実施形態のステージの外観を示す斜視図である。
【図４】図４は、実施形態の支持構造を説明する分解斜視図である。
【図５】図５は、実施形態の第一突部の支持状態を説明する斜視図である。
【図６】図６は、実施形態の第二突部の形状を説明する左側面図である。
【図７】図７は、実施形態の支持構造が備えるストッパーの右側面図である。
【図８】図８は、実施形態のラベル印刷時のステージの使用状態の説明図である。
【図９】図９は、実施形態のレシート印刷時のステージの使用状態の説明図である。
【図１０】図１０は、実施形態の台紙なしラベル印刷時のステージの使用状態の説明図である。
【発明を実施するための形態】
【０００８】
実施形態について図面を用いて説明する。図１は、実施形態のプリンタ１の内部構造を示す縦断右側面図である。プリンタ１は、ロール紙収納部２と、印刷部３と、搬送経路４と、排紙口５と、を備えている。
【０００９】
ロール紙収納部２は、帯状の紙が巻かれたロール紙を収納する。印刷部３は、ロール紙収納部２内のロール紙から繰り出された紙に印刷を施す。搬送経路４は、ロール紙収納部２から印刷部３を経て排紙口５まで紙が通る経路である。排紙口５は、印刷済みの紙が排紙される口である。
【００１０】
図２は、プリンタ１の印刷部３周辺の拡大図である。印刷部３は、サーマルヘッド３１と、プラテンローラ３２とを備えている。サーマルヘッド３１は、感熱紙やインクリボン（不図示）に熱を与えることにより、印刷を行う。プラテンローラ３２は、サーマルヘッド３１に紙を押し当てるとともに、紙を搬送する。
【００１１】
プリンタ１は、印刷部３の紙搬送方向下流側に、ステージ６および支持構造７をさらに備えている。図３は、ステージ６の外観を示す斜視図である。図４は、支持構造７を説明する分解斜視図である。
【００１２】
ステージ６は、概ね、一対の端面６１，６２および該端面６１，６２に直交する複数の側面６３〜６５を有する角柱形状である。本実施形態では、ステージ６は、３つの側面６３〜６５を有し、概ね三角柱形状である。
【００１３】
なお、各側面６３〜６５は、略長方形状であって、長手方向がロール紙幅方向に沿っている。また、各側面６３〜６５は、互いに別方向を向いている。
【００１４】
各側面６３〜６５には、異なる種類の紙の案内に適する加工が施されている。
【００１５】
側面６３は、ロール紙がラベルロールである場合の紙案内に用いる面である。側面６３を上向きにステージ６を用いたときに紙搬送方向下流側となる長辺に、ラベルを台紙から剥離しながら排紙するのに適した曲面６３ａが設けられている。
【００１６】
側面６４は、ロール紙がレシートなどの単なる帯状の紙である場合の紙案内に用いる面である。側面６４は、側面６４を上向きにステージ６を用いたときに紙搬送方向下流側となる長辺を含む長手方向両端に、鋸のようなジグザグの刃６４ａを備えている。これらの刃６４ａは、レシートを切る際にレシートを押し当てて切れ目をつけやすくするために設けられている。
【００１７】
側面６５は、ロール紙が台紙なしラベル、つまり、裏面に粘着層が設けられた帯状の紙が巻かれたものである場合の紙案内に用いる面である。この側面６５は、表面に凹凸（シボ）を設ける加工もしくはフッ素樹脂加工などが施され、粘着層が側面６５に貼り付かないようにされている。
【００１８】
支持構造７は、印刷部３の下流側にてステージ６を支持する。また、支持構造７は、側面６３〜６５のうち、印刷部３で印刷する紙の種類に適するものを紙の搬送経路４に配する。
【００１９】
支持構造７は、一対のフレーム７１，７２と、第一突部７３と、第二突部７４と、を備える。フレーム７１，７２は、ステージ６の両端を支持する。
【００２０】
図５は、第一突部７３の支持状態を説明する斜視図である。第一突部７３は、円柱形状であって、一方の端面６１に設けられている。一方のフレーム７１は、溝７５を有している。溝７５は、フレーム７１の上縁に開口し、第一突部７３を下から支える。
【００２１】
図６は、第二突部７４の形状を説明する左側面図である。第二突部７４は、角柱形状であって、他方の端面６２に設けられている。また、第二突部７４は、側面として、ステージ６の各側面６３〜６５に平行な面７７〜７９を有する三角柱形状である。他方のフレーム７２は、角孔７６を有している。角孔７６は、第二突部７４が嵌まり込む。
【００２２】
角孔７６は、底面７６ａを基準面としている。底面７６ａに第二突部７４の側面７７〜７９のいずれかが押し当てられることにより、ステージ６の第二突部７４側の高さ、すなわちロール紙の厚さ方向の位置が決定される。
【００２３】
支持構造７は、さらに、ストッパー８０を備えている。図７は、支持構造７がさらに備えるストッパー８０の右側面図である。ストッパー８０は、溝７５内の第一突部７３を溝７５内に保持する抜け止めであって、リング部８０ａと、回動中心８０ｂと、腕部８０ｃと、つまみ８０ｄと、を有している。リング部８０ａは、第一突部７３の括れ部７３ａの周囲に嵌合する。回動中心８０ｂは、フレーム７１にストッパー８０を回動自在に取り付ける。腕部８０ｃは、リング部８０ａと回動中心８０ｂとを繋ぐ。つまみ８０ｄは、腕部８０ｃをリング部８０ａよりも先に延長した形状で、ストッパー８０を回動させる際につまむ部分である。
【００２４】
このような構成において、本実施形態のプリンタ１では、以下のように、ロール紙の種類に合わせて最適な面を選んでステージ６を用いることができる。図８は、ラベル印刷時のステージ６の使用状態の説明図である。図９は、レシート印刷時のステージ６の使用状態の説明図である。図１０は、台紙なしラベル印刷時のステージ６の使用状態の説明図である。
【００２５】
図８に示すように、ロール紙収納部２内のロール紙がラベルであるときには、側面６３を上向きにしてステージ６をフレーム７１，７２に取り付ける。これにより、紙搬送方向下流側の長辺が曲面６３ａとなる。
【００２６】
曲面６３ａは、ラベルを台紙から剥離しながら排紙するのに適した形状であるので、良好なラベル剥離性を得ることができる。また、本実施形態によれば、曲面６３ａをラベル剥離以外の例えばレシートカットなどに用いることがないので、曲面６３ａの形状をラベル剥離用に特化した形状にすることができる。
【００２７】
次に、図９に示すように、ロール紙収納部２内のロール紙がレシートなどの単なる帯状の紙であるときには、側面６４を上向きにしてステージ６をフレーム７１，７２に取り付ける。これにより、紙搬送方向下流側の長辺が、長手方向両端に刃６４ａを備える辺となる。
【００２８】
刃６４ａは、レシートに切れ目をつけるのに適した形状であるので、良好な切れ味を得ることができる。また、刃６４ａを含む辺の刃６４ａの間の部分は一直線としてあるので、レシートに切れ目をつけた後は一直線にレシートを切断することができる。さらに、本実施形態によれば、刃６４ａを含む辺をレシート切断以外の例えばラベル剥離などに用いることがないので、当該辺の形状をレシート切断に特化した形状にすることができる。
【００２９】
そして、図１０に示すように、ロール紙収納部２内のロール紙が台紙なしラベルであるときには、側面６５を上向きにしてステージ６をフレーム７１，７２に取り付ける。これにより、ロール紙収納部２から引き出された台紙なしラベルの下面の粘着層に対向してラベルを支えるのは、側面６５となる。
【００３０】
側面６５の表面には、粘着層が貼り付かないようにする加工が施されているので、台紙なしラベルがステージ６に貼り付くことによる排紙詰まりの発生を防止することができる。
【００３１】
このように、本実施形態によれば、ステージ６の向きを変更することによって、ロール紙の種類に応じて最適な面を選んで用いることができる。
【００３２】
次に、上記支持構造７の変形例（不図示）について説明する。上記実施形態では、第二突部７４を角孔７６に嵌まり込ませてステージ６の回転止めとしているが、本変形例では、フレーム７１，７２相当の一対のフレームが、ステージ６相当のステージを回転自在に支持するとし、フレームに対してステージを固定する回転止め部材を設けるとする。回転止め部材としては、ねじを利用したものなど周知の手法でよい。
【００３３】
上記変形例によっても、上記実施形態同様、ステージの向きを変更することによって、ロール紙の種類に応じて最適な面を選んで用いることができる。
【００３４】
なお、上記実施形態では、ステージ６を３面としたが、実施にあたっては、２面でもよいし、可能であれば４面以上であってもよい。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…プリンタ、
２…ロール紙収納部、
３…印刷部、３１…サーマルヘッド、３２…プラテンローラ、
４…搬送経路、
５…排紙口、
６…ステージ、６１，６２…端面、
６３…側面、６３ａ…曲面、
６４…側面、６４ａ…刃、
６５…側面、
７…支持構造、７１…フレーム、７２…フレーム、
７３…第一突部、７３ａ…括れ部、
７４…第二突部、
７５…溝、
７６…角孔、７６ａ…底面、
７７〜７９…側面、
８０…ストッパー、８０ａ…リング部、８０ｂ…回動中心、８０ｃ…腕部。
【先行技術文献】
【特許文献】
【００３７】
【特許文献１】特開２００２−１２７５３２号公報
【図１】
2015047843.tif 000003
【図２】
2015047843.tif 000004
【図３】
2015047843.tif 000005
【図４】
2015047843.tif 000006
【図５】
2015047843.tif 000007
【図６】
2015047843.tif 000008
【図７】
2015047843.tif 000009
【図８】
2015047843.tif 000010
【図９】
2015047843.tif 000011
【図１０】
2015047843.tif 000012